(57)【要約】【課題】製造工程の短縮を図ることができるとともに、意匠性に優れたボトル缶を製造できるボトル缶の製造方法及びボトル缶を提供する。【解決手段】本発明のボトル缶は、円筒状の筒胴部と、該筒胴部の上端部から缶軸方向上側に向かうに従って縮径する下側傾斜部と、該下側傾斜部の上端から缶軸に沿って缶軸方向上側に直線状に延びる円筒部と、該円筒部の上端から下側傾斜部の缶軸に対する角度よりも小さい角度で缶軸方向上側に向かうに従って縮径する上側傾斜部と、上側傾斜部の缶軸方向上側に設けられる口部と、を備え、上側傾斜部には、缶軸方向下側から缶軸方向上側に向かって延びる複数のリブが全周にわたって形成されている。【選択図】  図１
2020040711.tif 000002
【特許請求の範囲】
【請求項１】
円筒状の筒胴部と、該筒胴部の上端部から缶軸方向上側に向かうに従って縮径する下側傾斜部と、該下側傾斜部の上端から缶軸に沿って缶軸方向上側に直線状に延びる円筒部と、該円筒部の上端から前記下側傾斜部の缶軸に対する角度よりも小さい角度で缶軸方向上側に向かうに従って縮径する上側傾斜部と、前記上側傾斜部の缶軸方向上側に設けられる口部と、を備え、
前記上側傾斜部には、缶軸方向下側から缶軸方向上側に向かって延びる複数のリブが全周にわたって形成されていることを特徴とするボトル缶。
【請求項２】
請求項１に記載のボトル缶の製造方法であって、
円筒状の筒体を形成する筒体形成工程と、前記筒体を缶軸方向上側に向かうに従って縮径させることにより、前記下側傾斜部、前記円筒部及び前記上側傾斜部からなる縮径部を形成する縮径部成形工程を備え、
前記縮径部成形工程は、前記筒体に成形面の径が異なる複数の縮径用金型を押し付けて缶軸方向に相対移動させることにより、前記下側傾斜部と、該下側傾斜部の上端部から缶軸に沿って缶軸方向上側に直線状に延びる小円筒部と、を成形する下側傾斜部形成工程と、
前記下側傾斜部形成工程により形成された前記小円筒部の缶軸方向下側の領域を残した缶軸方向上側の領域を傾斜させた後、その外面に前記複数のリブを形成するためのリブ成形用金型を押し付けて相対移動させることにより、前記複数のリブを有する前記上側傾斜部を形成する上側傾斜部形成工程と、を備えることを特徴とするボトル缶の製造方法。
【発明の詳細な説明】
【技術分野】
【０００１】
本発明は、開口部に金属製キャップが装着され、飲料等の内容物が充填されるボトル缶及びその製造方法に関する。
【背景技術】
【０００２】
飲料等の内容物が充填される容器として、ボトル形状の缶（ボトル缶）の開口部に、金属製キャップを装着して密封する容器が知られている。ボトル缶は、一般に、胴部と底部とを有する有底円筒状に形成され、その胴部の開口部側に上方へ向かうに従い漸次縮径する肩部、縮径部が設けられ、縮径部の上端に口部が設けられた構成とされている。このようなボトル缶は、金属板材（アルミニウム合金材料の板材）にカッピング工程（絞り工程）及びＤＩ工程（絞りしごき工程、Ｄｒａｗｉｎｇ  ＆  Ｉｒｏｎｉｎｇ）を施すことにより、胴部及び底部を有する有底円筒状の缶に形成され、その有底円筒状の缶の胴部に縮径加工を施すことにより肩部及び縮径部が形成される。
【０００３】
このようなボトル缶として、例えば、特許文献１に記載のボトル缶や特許文献２に記載のボトル缶が知られている。これらのうち、特許文献１に記載のボトル缶は、底部と胴部と肩部と首部（縮径部）と口部とを備えており、縮径部の傾斜角βが５０°〜８９°（缶軸方向を０°とした場合には、１°〜４０°）に設定されている。また、特許文献２に記載のボトル缶は、特許文献１に記載のボトル缶と同じ構成を備えており、肩部が胴部から略４５°（上記缶軸方向を０°とした場合において４５°）の角度で延出しており、縮径部の傾斜角が略６°に設定されている。これら特許文献１及び２に記載のボトル缶は、複数の成形金型を使用したダイネック加工により缶の胴部を逐次変形させながら、テーパ面状の滑らかな形状に成形されている。
【先行技術文献】
【特許文献】
【０００４】
【特許文献１】特許第５３２３７５７号公報
【特許文献２】特表２０１７−５２６５９１号公報
【発明の概要】
【発明が解決しようとする課題】
【０００５】
しかし、上記形状のボトル缶では、肩部から首部にかけて滑らかな形状を得るためには、１回の加工量を小さくして、何回も縮径加工を施す必要がある。そして、その加工回数が増えると、製造ラインにおいて多くの成形金型を並べて配置する必要があり、その設置スペースも広く必要になる。このため、製造コストの増加を招く。
【０００６】
本発明は、このような事情に鑑みてなされたものであり、製造工程の短縮を図ることができるとともに、意匠性に優れたボトル缶を製造できるボトル缶の製造方法及びボトル缶を提供することを目的とする。
【課題を解決するための手段】
【０００７】
本発明のボトル缶は、円筒状の筒胴部と、該筒胴部の上端部から缶軸方向上側に向かうに従って縮径する下側傾斜部と、該下側傾斜部の上端から缶軸に沿って缶軸方向上側に直線状に延びる円筒部と、該円筒部の上端から前記下側傾斜部の缶軸に対する角度よりも小さい角度で缶軸方向上側に向かうに従って縮径する上側傾斜部と、前記上側傾斜部の缶軸方向上側に設けられる口部と、を備え、前記上側傾斜部には、缶軸方向下側から缶軸方向上側に向かって延びる複数のリブが全周にわたって形成されている。
【０００８】
本発明では、上側傾斜部に缶軸方向下側から缶軸方向上側に向かって延びる複数のリブが形成されているので、ボトル缶の意匠性を向上できる。また、複数のリブが形成された上側傾斜部の缶軸方向下側に円筒部が設けられているので、ボトル缶を首長に見せることができる。さらに、上側傾斜部に複数のリブが形成されていることから、ボトル缶を把持したときに、指に凹凸が触れるので、グリップ感があり、滑り止めとなって把持し易い。加えて、上側傾斜部に複数のリブが形成されていることから、ボトル缶からグラス等内に内用液を注ぐ際に、該内用液が複数のリブの内面により攪拌された様になり、泡立ち性を向上できる。
【０００９】
ここで、製造工程において、上側傾斜部を成形するには、下側傾斜部を成形した後に該下側傾斜部の上端から缶軸に沿って缶軸方向上側に直線状に延びる小円筒部を成形した後、小円筒部の上側に複数の縮径用金型を押し付けて相対移動させることにより、上側傾斜部を形成する。この際、縮径用金型を用いた縮径回数が少ないと、ボトル缶の周方向に階段状の跡（横すじ）が残るため、さらに複数の縮径用金型を押し付けて相対移動させるリフォーム工程を実行するか、上記階段状の跡が残らないように多くの縮径用金型を用いて細かく成形する必要がある。これに対し、本発明では、小円筒部の上側に縮径用金型を押し付けて相対移動させて該小円筒部の一部を傾斜させた後、リブ成形用金型を押し付けて相対移動させることにより、複数のリブを形成するので、ボトル缶の周方向に上記階段状の跡が残っていても、複数のリブにより上記階段状の跡を目立たなくすることができる。従って、多くの縮径用金型を押し付けて細かく成形する場合やリフォーム工程を実行する場合に比べて、ボトル缶の製造工程を短縮できる。
【００１０】
本発明のボトル缶の製造方法は、上記ボトル缶の製造方法であって、円筒状の筒体を形成する筒体形成工程と、前記筒体を缶軸方向上側に向かうに従って縮径させることにより、前記下側傾斜部、前記円筒部及び前記上側傾斜部からなる縮径部を形成する縮径部成形工程を備え、前記縮径部成形工程は、前記筒体に成形面の径が異なる複数の縮径用金型を押し付けて缶軸方向に相対移動させることにより、前記下側傾斜部と、該下側傾斜部の上端部から缶軸に沿って缶軸方向上側に直線状に延びる小円筒部と、を成形する下側傾斜部形成工程と、前記下側傾斜部形成工程により形成された前記小円筒部の缶軸方向下側の領域を残した缶軸方向上側の領域を傾斜させた後、その外面に前記複数のリブを形成するためのリブ成形用金型を押し付けて相対移動させることにより、前記複数のリブを有する前記上側傾斜部を形成する上側傾斜部形成工程と、を備える。
【００１１】
本発明では、小円筒部を成形した後、該小円筒部の缶軸方向下側の領域を残した缶軸方向上側の領域に上側傾斜部を形成する際に、下側傾斜部と同様の加工で複数のリブを成形リブ成形用金型できるので、製造工程を短縮でき、かつ、意匠性に優れたボトル缶を製造できる。
【発明の効果】
【００１２】
本発明によれば、製造工程の短縮を図ることができるとともに、意匠性に優れたボトル缶を製造できる。
【図面の簡単な説明】
【００１３】
【図１】本発明の第１実施形態に係るボトル缶の製造方法により製造されるボトル缶の正面図である。
【図２】上記第１実施形態のボトル缶の製造方法のうち、カップを形成して筒体を形成するまでの工程を順に示す模式図であり、右半分については缶軸を通る縦断面にした正面図である。
【図３】上記第１実施形態における下側傾斜部形成工程後の中間成形体を示す正面図である。
【図４】上記第１実施形態における上側傾斜部形成工程中の中間成形体を示す正面図である。
【図５】上記第１実施形態における傾斜部に複数のリブを形成するためのリブ成形用金型を示す断面図である
【図６】上記第１実施形態における上側傾斜部形成工程後の中間成形体を示す正面図である。
【図７】本発明の第２実施形態に係るボトル缶を示す正面図である。
【発明を実施するための形態】
【００１４】
［第１実施形態］
以下、本発明の第１実施形態について、図面を参照しながら説明する。
【００１５】
図１は、本発明の第１実施形態に係るボトル缶の製造方法において製造されるボトル缶１の正面図である。このボトル缶１は、開口端部にキャップ（図示省略）が装着されることにより、飲料等を収容する容器として用いられる。図２〜図６は、本実施形態のボトル缶の製造方法の各工程を示す説明図である。これらのうち、図２はカップを成形して筒体４１を形成するまでの工程を順に示す模式図、図４〜６は縮径部成形工程を説明する図である。
【００１６】
ボトル缶１は、アルミニウム又はアルミニウム合金等の薄板金属からなり、図１に示すように、円筒状をなす胴部（ウォール）１０とドーム状をなす底部（ボトム）２０とを備える有底円筒状に形成されている。図１に示すように、胴部１０及び底部２０は互いに同軸に配置されており、本実施形態において、これらの共通軸を缶軸Ｏと称して説明を行う。
【００１７】
また、缶軸Ｏに沿う方向（缶軸Ｏ方向）のうち、胴部１０の開口端部１０ａから底部２０側へ向かう方向を下方、底部２０から開口端部１０ａ側へ向かう方向を上方とし、以下の説明においては、図１〜図７に示す向きと同様に上下方向を定めるものとする。また、缶軸Ｏに直交する方向を径方向といい、径方向のうち、缶軸Ｏに接近する向きを径方向の内側（内方）、缶軸Ｏから離間する向きを径方向の外側（外方）とする。また、缶軸Ｏ回りに周回する方向を周方向とする。
【００１８】
胴部１０は、図１に示されるように、底部２０側において円筒状に形成された筒胴部１１と、筒胴部１１の上端部から缶軸Ｏ方向上側（開口端部１０ａ側）に向かうに従って縮径する下側傾斜部１２と、下側傾斜部１２の上端から缶軸Ｏに沿って缶軸Ｏ方向上側に直線状に延びる円筒部１３と、円筒部１３の缶軸Ｏ方向上側に設けられ、下側傾斜部１２の缶軸Ｏに対する角度よりも小さい角度で缶軸Ｏ方向上側に向かうに従って縮径する上側傾斜部１４と、上側傾斜部１４の缶軸Ｏ方向上側に設けられる口部１６と、を備えている。なお、下側傾斜部１２、円筒部１３及び上側傾斜部１４により本発明の縮径部が構成されている。
【００１９】
図１に示すように、下側傾斜部１２の缶軸Ｏに対する傾斜角度θ１は、２０°以上６０°以下に設定されており、上側傾斜部１４の缶軸Ｏに対する傾斜角度θ２は、１°以上２０°未満に設定されている。すなわち、下側傾斜部１２の傾斜角度θ１は、上側傾斜部１４の傾斜角度θ２よりも大きい角度に設定されており、上側傾斜部１４が下側傾斜部１２よりも缶軸Ｏ方向に立った形状に形成されている。なお、筒胴部１１、下側傾斜部１２、円筒部１３、上側傾斜部１４は、それぞれ胴部１０の周方向全周にわたって延びる環状をなしている。
【００２０】
また、これら筒胴部１１と、下側傾斜部１２と、円筒部１３と、上側傾斜部１４とは、互いに滑らかに連なっており、互いの間に段差を形成することなく滑らかに接続されている。具体的には、筒胴部１１と下側傾斜部１２との間には、径方向外側かつ上側へ向けて凸となる凸曲面により構成される第１接続部１２ａが設けられ、この第１接続部１２ａにより筒胴部１１と下側傾斜部１２の下端部が接続されている。また、下側傾斜部１２と円筒部１３との間には、径方向外側かつ下側に向けて凹となる凹曲面により構成される第２接続部１３ａが設けられ、この第２接続部１３ａにより下側傾斜部１２の上端部と円筒部１３の下端部とが接続されている。
【００２１】
また、胴部１０の上部に配置された口部１６は、上側傾斜部１４の缶軸Ｏ方向上側に位置する凹部の上端で一旦拡径された大径部１６１と、大径部１６１の上端に形成されたねじ部１６２と、ねじ部１６２の上端の開口端部１０ａに形成されたカール部１６３とを有している。このように、口部１６は、開口端部１０ａにより外部に開口しており、飲料等の内容物は口部１６を通じてボトル缶１の内部に充填される。この口部１６にキャップ（図示省略）を装着することにより、ボトル缶１の内部に充填された内容物が密封されるようになっている。
【００２２】
これらのうち、上側傾斜部１４には、缶軸Ｏ方向下側から缶軸Ｏ方向上側に向かって缶軸Ｏ方向に沿って直線状に延びる複数のリブ１５を備えている。各リブ１５の間は、溝部１５２となる。これら複数のリブ１５のそれぞれは、径方向外側に向かって突出する部位であり、例えば、複数のリブ１５は、上側傾斜部１４の全周にわたって８個以上３０個以下、好ましくは１２個以上２４個以下の数の範囲で形成されているとよい。例えば、図１に示す例では１６個形成されている。このリブ１５の数が少ないと、成形時にしわが生じ易く、多過ぎると加工しにくくなる。このリブ１５は、缶軸Ｏに直交する横断面でＶ字状となるように形成されており、その底部は、缶軸Ｏ方向の下側から上側に向けて相互間隔が漸次小さくなるように形成される。
【００２３】
詳述すると、複数のリブ１５において、缶軸Ｏ方向下側の幅Ｌ５は、２ｍｍ〜１６ｍｍ、缶軸Ｏ方向上側の幅Ｌ６は２ｍｍ〜１２ｍｍとされ、その高さ（溝部１５２の深さ）は、０．３ｍｍ以上６ｍｍ以下、好ましくは０．５ｍｍ以上４ｍｍ以下に設定されている。なお、これら複数のリブ１５は、リブ成形用金型を複数回押し付けて移動させることにより成形されることから、各リブ１５が円筒部１３の上端と上側傾斜部１４の缶軸Ｏ方向上側に位置する凹部の下端とを結ぶテーパ面から径方向外側に突出しているわけではなく、溝部１５２が径方向内側に凹んでいることで、各リブ１５の最も径方向外側に位置する部位１５１が径方向外側に突出しているように錯覚させるものである。このような複数のリブ１５が形成されているので、ボトル缶１を把持したときに、指に凹凸が触れるので、グリップ感があり、滑り止めとなって把持し易くなるとともに、ボトル缶１の意匠性を向上できる。
【００２４】
このように形成されるボトル缶１の底部２０の底面からカール部１６３の上面までの高さ（ボトル缶１の高さ）Ｌ０は、１１０ｍｍ〜２４０ｍｍに設定されている。また、下側傾斜部１２の缶軸Ｏ方向下側の端部から上側傾斜部１４の缶軸Ｏ方向上側の端部までの長さＬ１は、３５ｍｍ〜１００ｍｍに設定され、より好ましくは４０ｍｍ〜７０ｍｍに設定されるとよい。また、下側傾斜部１２の缶軸Ｏ方向下側の端部から缶軸Ｏ方向上側の端部までの距離、すなわち、下側傾斜部１２の缶軸Ｏに沿う方向の長さＬ２は、１０ｍｍ〜３０ｍｍに設定され、より好ましくは１５ｍｍ〜２５ｍｍに設定されるとよい。さらに、円筒部１３の長さＬ３は、１ｍｍ〜８０ｍｍに設定され、より好ましくは５ｍｍ〜２０ｍｍに設定されるとよい。また、上側傾斜部１４の缶軸Ｏ方向下側の端部から缶軸Ｏ方向上側の端部、すなわち、上側傾斜部１４の缶軸Ｏ方向に沿う距離Ｌ４は１０ｍｍ〜８０ｍｍに設定され、より好ましくは１５ｍｍ〜５０ｍｍに設定されるとよい。本実施形態では、円筒部１３を備え、かつ、複数のリブ１５を備えた上側傾斜部１４の距離を上記範囲とすることで、ボトル缶１の首長効果を得ることとしている。
【００２５】
このように構成されるボトル缶１のその他の諸寸法について一例を挙げると、ボトル缶１の缶軸Ｏを通る縦断面視において、製品となる筒胴部１１の外径が１４０ｍｍ〜２２０ｍｍ、上側傾斜部１４の上端の外径（上側傾斜部１４と口部１６との接点の外径）は例えば６０ｍｍ〜１２０ｍｍの範囲内とされる。ただし、上記寸法は、上記数値範囲に限られるものではない。
【００２６】
このような下側傾斜部１２、円筒部１３及び複数のリブ１５を有する上側傾斜部１４を備えるボトル缶１は、以下に説明する製造方法により製造される。このボトル缶１の製造方法は、筒体形成工程、縮径部成形工程、及び口部形成工程を備える。
【００２７】
［筒体形成工程］
まず、アルミニウム合金等のアルミニウム板材を打ち抜いて絞り加工することにより、図２（ａ）に示すように比較的大径で浅いカップ４０を成形した後、このカップ４０に再度の絞り加工及びしごき加工（ＤＩ加工）を加えて、図２（ｂ）に示すように所定高さの有底円筒状の筒体４１を成形し、その上端をトリミングにより切り揃える。このＤＩ加工により、筒体４１の底部は最終のボトル缶１としての底部２０の形状に成形される。また、板厚は、プレス成形前の元板厚が０．２５０ｍｍ〜０．５００ｍｍであり、図２（ｂ）に示す筒体４１の底部２０側の板厚（ウォール厚）ｔ１が０．１００ｍｍ〜０．２５０ｍｍに形成され、開口端部側の板厚（フランジ厚）ｔ２が０．２００ｍｍ〜０．４００ｍｍに形成される。
【００２８】
［縮径部成形工程］
なお、縮径部成形工程は、下側傾斜部１２及び缶軸Ｏ方向上側に缶軸Ｏに沿って直線状に延びる小円筒部１４０を成形する下側傾斜部形成工程と、円筒部１３及び複数のリブ１５を有する上側傾斜部１４を形成する上側傾斜部形成工程と、を備える。
【００２９】
［下側傾斜部形成工程］
下側傾斜部形成工程では、図２（ｂ）に示す状態まで形成した筒体４１に、図２（ｂ）に二点鎖線で示した加工径の異なる環状の成形面を有する複数個の縮径用金型７０（ダイネッキング型）を加工径の大きい順で押し付けて、缶軸Ｏ方向に相対移動させることにより、缶軸Ｏに対する角度が２０°以上６０°以下であり、缶軸Ｏを通る縦断面が直線状の下側傾斜部１２を成形し、下側傾斜部１２の上端部から缶軸Ｏに沿って缶軸Ｏ方向上側に直線状に延びる小円筒部１４０を成形する。なお、図３に示した形状が、下側傾斜部１２、及び小円筒部１４０を形成した中間成形体４２である。
【００３０】
［上側傾斜部形成工程］
上側傾斜部形成工程は、小円筒部１４０の缶軸Ｏ方向下側の領域を残した缶軸Ｏ方向上側の領域を缶軸Ｏ方向上側に向けて漸次縮径するテーパ面状に成形する仮成形部形成工程と、仮成形部形成工程により形成された仮成形部を必要に応じてリフォームして小円筒部１４０の缶軸Ｏ方向下側の領域を残した缶軸Ｏ方向上側の領域を滑らかに傾斜させるリフォーム工程と、その外面にリブ成形用金型複数のリブを形成するためのリブ成形用金型を押し付けて相対移動させることにより、複数のリブを形成するリブ成形工程と、を備える。
【００３１】
（仮成形部形成工程）
仮成形部形成工程では、図３に示した形状の中間成形体４２に対して、加工径の異なる環状の成形面を有する複数個（例えば、４個）の縮径用金型を加工径の大きい側から押し付けて、缶軸Ｏ方向に相対移動させることにより、缶軸Ｏを通る縦断面が上側に向かうに従って縮径する仮成形部を成形する。この工程においては、仮成形部は、缶軸Ｏ方向上側に向けて階段状に縮径するものであってもよい。また、仮成形部形成工程では、仮成形部の上端部から缶軸Ｏに沿う上側に直線状に延び、かつ、小円筒部１４０より径の小さい口部用円筒部１６ａも併せて形成する。
【００３２】
（リフォーム工程）
リフォーム工程では、仮成形部の外面に加工径の異なる環状の成形面を有する複数個（例えば、３個）の縮径用金型を押し付けて相対移動させることにより、仮成形部を滑らかにリフォームして、缶軸Ｏに対する角度が１°以上２０°未満であり、缶軸Ｏを通る縦断面が直線状の傾斜部１４ａを成形する。
【００３３】
（リブ成形工程）
リフォーム工程を経て、図４に示す状態となった中間成形体４２の傾斜部１４ａの外面に対して、図５に示すリブ成形用金型６０を用いて、複数のリブ１５を形成する。このリブ成形用金型６０は、全体として筒状に形成され、その内周部の先端部が、先端方向に向かうにしたがって漸次拡径するテーパ状に形成されていることにより、軸方向の先端部にテーパ状成形部６１、基端部に円筒状案内部６２が形成されている。そして、そのテーパ状成形部６１に、その傾斜方向に沿って延びる凸条が周方向に相互間隔をおいて等間隔で複数形成されている。そして、図５に示すように、このリブ成形用金型６０の軸Ｃ２と中間成形体４２の缶軸Ｏとを一致させた状態で、リブ成形用金型６０のテーパ状成形部６１を中間成形体４２の開口端に対向配置し、これらを缶軸Ｏ方向に接近させることにより、傾斜部１４ａの下端部から上端部までを成形するように缶軸Ｏ方向に押圧する。これにより、傾斜部１４ａの全周にわたって複数のリブ１５が形成され、上側傾斜部１４となる。
【００３４】
［口部形成工程］
そして、図６に示す状態の中間成形体４２の口部用円筒部１６ａに対して、図１に示すように、上側傾斜部１４の上端よりも大径の大径部１６１を形成し、この大径部１６１を形成した後にキャップのねじ部（図示省略）が螺合するねじ部１６２を形成する。そして、最後に、口部用円筒部１６ａの上端部に対してカーリング加工を施してカール部１６３を形成し、口部１６を有するボトル缶１を製造する。
【００３５】
なお、このようにして製造されたボトル缶１の内部には、飲料等の内容物が充填され、口部１６にキャップ（図示省略）が巻き締められ、内部が密封された容器が製造される。
【００３６】
以上説明した本実施形態に係るボトル缶１は、上側傾斜部１４に缶軸Ｏ方向下側から缶軸Ｏ方向上側に向かって延びる複数のリブ１５が形成されているので、ボトル缶１の意匠性を向上できる。また、複数のリブ１５が形成された上側傾斜部１４の缶軸Ｏ方向下側に円筒部１３が設けられているので、ボトル缶１を首長に見せることができる。さらに、上側傾斜部１４に複数のリブ１５が形成されていることから、ボトル缶１を把持したときに、指に凹凸が触れるので、グリップ感があり、滑り止めとなって把持し易い。加えて、上側傾斜部１４に複数のリブ１５が形成されていることから、ボトル缶１からグラス等内に内用液を注ぐ際に、該内用液が複数のリブ１５の内面により攪拌された様になり、泡立ち性を向上できる。
【００３７】
また、小円筒部１４０の上側に縮径用金型を押し付けて相対移動させて該小円筒部１４０の一部を傾斜させた後、リブ成形用金型６０を押し付けて相対移動させることにより、複数のリブ１５を形成するので、ボトル缶１の周方向に仮成形部形成工程により生じた階段状の跡が残っていても、複数のリブ１５により上記階段状の跡を目立たなくすることができる。従って、多くの縮径用金型を押し付けて細かく成形する場合やリフォーム工程を実行する場合に比べて、ボトル缶１の製造工程を短縮できる。
【００３８】
また、本実施形態のボトル缶１の製造方法では、小円筒部１４０を成形した後、該小円筒部１４０の缶軸Ｏ方向下側の領域を残した缶軸Ｏ方向上側の上側傾斜部１４を形成する際に、下側傾斜部１２と同様の加工、すなわち、従来のボトル缶における縮径部を形成するダイネッキング加工と同様の加工方法で複数のリブ１５を成形できるので、製造工程を短縮でき、かつ、意匠性に優れたボトル缶１を製造できる。
【００３９】
［第２実施形態］
次に、本発明の第２実施形態について図面を用いて説明する。図７は、第２実施形態に係るボトル缶１Ａを示す正面図である。このボトル缶１Ａは、上側傾斜部１４Ａの複数のリブ１５Ａが上記第１実施形態の複数のリブ１５と異なっている。具体的には、第１実施形態の複数のリブ１５のそれぞれが缶軸Ｏ方向下側から上側に向けて缶軸Ｏ方向に沿って直線状に延びているのに対し、複数のリブ１５Ａのそれぞれは、図７に示すように缶軸Ｏ方向下側から上側に向けて、上側傾斜部１４Ａの缶軸Ｏを通る縦断面において、該上側傾斜部１４Ａの上端（缶軸Ｏ方向上側に位置する凹部の下端部）と下端（円筒部１３の上端）とを結ぶ線（上側傾斜部１４Ａに概説する円錐面の母線）に対して１°以上６５°以下の範囲で傾斜して延びている。
【００４０】
また、これら各リブ１５Ａは、上記リブ１５と同様に、各リブ１５Ａ間は、溝部１５２Ａとなっている。これら複数のリブ１５Ａは、上側傾斜部１４Ａの全周にわたって８個以上３０個以下、好ましくは１２個以上２４個以下の数の範囲で形成されているとよく、例えば図７に示す例では１５個形成されている。なお、本実施形態の複数のリブ１５Ａは、上述した第１実施形態の複数のリブ１５と同様に傾斜部１４ａに対してリブ成形金型を押し付けて形成されるが、各リブ１５Ａが上述したように傾斜しているため、傾斜部１４ａの缶軸Ｏに対する傾斜角度は、１０°以上５０°以下であることが好ましい。
【００４１】
本実施形態では、複数のリブ１５Ａが缶軸Ｏ方向下側から上側に向けて缶軸Ｏに対して傾斜して延びているので、ボトル缶１Ａの美観をさらに高めることができるとともに、ボトル缶１Ａのグリップ感をより高めることができる。
【００４２】
なお、本発明は上記各実施形態の構成のものに限定されるものではなく、細部構成においては、本発明の趣旨を逸脱しない範囲において種々の変更を加えることが可能である。例えば、ボトル缶として、予め有底円筒状の筒体４１を形成して、その開口端部を成形したが、筒体は底部を有していないものも含むものとし、縮径部を成形した後に、筒体の胴部に、別に形成した底部を巻き締めるようにしてもよい。
【００４３】
上記各実施形態では、上側傾斜部形成工程は、仮成形部形成工程と、リフォーム工程と、リブ成形工程と、を備えることとしたが、これに限らない。例えば、上側傾斜部形成工程では、仮成形部形成工程後にリフォーム工程を行うことなく、リブ成形工程を実行することとしてもよい。また、上側傾斜部形成工程は、複数の縮径用金型を押し付けて小円筒部の上記部位を細かく成形して滑らかな傾斜部１４ａを成形した後、仮成形部形成工程を経ることなくリブ成形工程を実行することとしてもよい。
【符号の説明】
【００４４】
１  １Ａ  ボトル缶
１０  胴部
１０ａ  開口端部
１１  筒胴部
１２  下側傾斜部
１２ａ  第１接続部
１３  円筒部
１３ａ  第２接続部
１４  １４Ａ  上側傾斜部
１４ａ  傾斜部
１５  １５Ａ  リブ
１５１  部位
１５２  溝部
１６  口部
１６ａ  口部用円筒部
２０  底部
４０  カップ
４１  筒体
４２  中間成形体（筒体）
６０  リブ成形用金型
７０  縮径用金型
１４０  小円筒部
１６１  大径部
１６２  ねじ部
１６３  カール部
【図１】
2020040711.tif 000003
【図２】
2020040711.tif 000004
【図３】
2020040711.tif 000005
【図４】
2020040711.tif 000006
【図５】
2020040711.tif 000007
【図６】
2020040711.tif 000008
【図７】
2020040711.tif 000009